(57)【特許請求の範囲】
【請求項１】
（イ）全体として袋状を成して内部に通水路を形成する本体ボデーと、（ロ）該本体ボデー内部に設けられ、弁座から離間し又は該弁座に着座して該通水路を開閉する弁体と、（ハ）先端の吐水口より吐水を行う吐水管とを備えた単水栓において、
前記本体ボデーの前記弁座及び弁座より上流側の１次側部分と、下流側の２次側部分とを別体の部材にて構成してあり、
前記２次側部分には前記吐水管が一体に構成してあるとともに、
前記１次側部分が内筒、前記２次側部分が外筒としてそれぞれ構成してあり、且つ該内筒には径方向外方に突出するフランジ部が一体に設けてあって、該フランジ部の下面が取付基体に着座する段付面とされ、該外筒は該内筒に外嵌状態に嵌合しており、該外筒が前記取付基体の取付面の位置まで延びて前記フランジ部を覆っていることを特徴とする単水栓。
【請求項２】
請求項１において、前記２次側部分が樹脂製となしてあることを特徴とする単水栓。
【請求項３】
請求項１，２の何れかにおいて、前記１次側部分が配管との接続用の接続管部と一体に構成してあることを特徴とする単水栓。
【発明の詳細な説明】
【０００１】
【発明の属する技術分野】
この発明は単水栓に関し、詳しくは全体として袋状を成して内部に通水路を形成する本体ボデーの形態に特徴と有するものに関する。
【０００２】
【従来の技術】
内部に弁体を収容し、その弁体による通水路の開閉によって吐水口からの吐水と止水とを行う水栓にあっては、従来その通水路を内部に形成する本体ボデーが全体として袋状を成している。
図３はその代表的な例としての単水栓を示したもので、図中２００は全体として袋状を成す本体ボデーを示している。
本体ボデー２００には、先端に吐水口２０２を有する吐水管２０４が一体に構成されている。
更にまたこの本体ボデー２００には、図中下向きに突き出す形態で、配管との接続用の接続管部２０６が一体に構成されている。
【０００３】
本体ボデー２００には段付面２０８が形成されていて、この段付面２０８と、接続管部２０６の外周面の雄ねじに螺合された固定ナット２１０とにより、三角パッキン２１２を介してカウンター等取付基体を上下に挟み込む状態に、本体ボデー２００がその取付基体に固定される。
【０００４】
２１４は本体ボデー２００内部に設けられた弁体で、この弁体２１４が本体ボデー２００内部に一体に形成された弁座２１６から離間し又は弁座２１６に着座することによって、本体ボデー２００内部に形成された通水路２１８が開放され又は遮断される。これにより吐水口２０２からの吐水と止水とが行われる。
尚２２０はスピンドルであり、２２２はそのスピンドル２２０を回転させて弁体２１４を操作するハンドルである。
【０００５】
【発明が解決しようとする課題】
同図に示しているように本体ボデー２００は全体として袋状を成していることから、従来かかる本体ボデー２００は吐水管２０４，接続管部２０６とともに一体の金属製の鋳物で構成されていた。
しかしながら本体ボデー２００を吐水管２０４及び接続管部２０６と一体の鋳物品となした場合、必然的にコストが高くなってしまう。
【０００６】
【課題を解決するための手段】
本発明の単水栓はこのような課題を解決するために案出されたものである。
而して請求項１のものは、（イ）全体として袋状を成して内部に通水路を形成する本体ボデーと、（ロ）該本体ボデー内部に設けられ、弁座から離間し又は該弁座に着座して該通水路を開閉する弁体と、（ハ）先端の吐水口より吐水を行う吐水管とを備えた単水栓において、前記本体ボデーの前記弁座及び弁座より上流側の１次側部分と、下流側の２次側部分とを別体の部材にて構成してあり、前記２次側部分には前記吐水管が一体に構成してあるとともに、前記１次側部分が内筒、前記２次側部分が外筒としてそれぞれ構成してあり、且つ該内筒には径方向外方に突出するフランジ部が一体に設けてあって、該フランジ部の下面が取付基体に着座する段付面とされ、該外筒は該内筒に外嵌状態に嵌合しており、該外筒が前記取付基体の取付面の位置まで延びて前記フランジ部を覆っていることを特徴とする。
【０００７】
請求項２のものは、請求項１において、前記２次側部分が樹脂製となしてあることを特徴とする。
【０００８】
請求項３のものは、請求項１，２の何れかにおいて、前記１次側部分が配管との接続用の接続管部と一体に構成してあることを特徴とする。
【０００９】
【作用及び発明の効果】
上記のように本発明は、本体ボデーの弁座及び弁座より上流側の１次側部分と、下流側の２次側部分とを別体の部材にて構成したもので、このようにすることで、袋状を成す本体ボデーのうち２次側部分を樹脂製となすことができる（請求項２）。
これにより単水栓のコストを低廉化することができる。
【００１０】
また本発明は、吐水管を本体ボデーの２次側部分と一体構成となしておくもので、２次側部分を請求項２に従い樹脂製とする場合には、吐水管も樹脂製とすることとなる。
尚、本発明では本体ボデーにおける１次側部分をも樹脂製となしておくことができる。
【００１１】
上記１次側部分には配管との接続用の接続管部を一体に構成しておくことができる（請求項３）。
【００１２】
【実施例】
次に本発明を単水栓に適用した場合の実施例を図面に基づいて詳しく説明する。
図１において、１０は全体として袋状を成して内部に通水路１２を形成する本体ボデーで、１４はこの本体ボデー１０から延び出した吐水管である。吐水管１４は先端に吐水口１６を有しており、通水路１２を通じて供給された水が、この吐水口１６から吐水される。
【００１３】
本体ボデー１０からは、図中下向きに配管との接続用の接続管部１８が突き出している。
接続管部１８の外周面には雄ねじが形成してあり、そこに固定ナット２０が螺合されている。
本体ボデー１０には段付面２２が形成してあり、この段付面２２と固定ナット２０とにより、カウンター等取付基体２６を上下両側から三角パッキン２４を介して挟み込むようにして、単水栓がかかる取付基体２６に固定される。
【００１４】
２８は、本体ボデー１０の内部に形成された弁座３０から離間し又は弁座３０に着座することによって通水路１２を開閉する弁体で、３１はスピンドル、３２は止ねじ３４にてスピンドル３１と一体回転状態に固定されたハンドルである。
スピンドル３１には大径部３６が設けられていて、その外周面に雄ねじ３８が形成され、この雄ねじ３８が本体ボデー１０の上端部内周面に形成された雌ねじ４０に螺合されている。
【００１５】
而してこの単水栓の場合、弁体２８が開弁している状態でハンドル３２を回転操作すると、これと一体に回転するスピンドル３１が雄ねじ３８と雌ねじ４０とのねじ送り作用で図中下向きに押し出され、弁体２８を弁座３０に押し付ける。
また一方逆方向にハンドル３２を回転操作すると、上記と逆向きのねじ送り作用でスピンドル３１が上向きに引き上げられ、弁体２８が給水圧の作用で開弁動作する。
【００１６】
本例では、本体ボデー１０が内筒４２と外筒４４との別体の部材により構成されている。即ち弁座３０及びそれより上流側の１次側部分が内筒４２として、また下流側の２次側部分が外筒４４として構成されている。
ここで外筒４４は取付基体２６の取付面の位置まで延びており、同部分が内筒４２に外嵌してこれをカバーしている。
本例において、外筒４４は吐水管１４と一体構成とされており且つそれら全体が樹脂製とされている。
【００１７】
一方内筒４２には、図２にも示しているように上記弁座３０と雌ねじ４０とが設けられており、そしてそれらの間の位置において開口４６が形成されている。
通水路１２を通じて弁座３０の上流側から流通して来た水は、この開口４６から吐水管１４へと流れ込み、先端の吐水口１６から吐水される。
【００１８】
図２に示しているように、この内筒４２には径方向外方に突出するフランジ部４８が設けられており、そのフランジ部４８の下面が上記段付面２２とされていて、この段付面２２が取付基体２６の上面に着座するようになっている。
本例において、内筒４２には上記接続管部１８が一体に構成されている。
ここで内筒４２及び接続管部１８は、金属の切削加工品にて構成することができる。或いはまたこれを樹脂にて構成することもできる。
【００１９】
本例によれば、本体ボデー１０の１次側部分である内筒４２と、２次側部分である外筒４４とを別体の部材にて構成し、本体ボデー１０のうち外筒４４を吐水管１４とともに樹脂製となしていることから、水栓のコストを低廉化することができる。
【００２０】
以上本発明の実施例を詳述したがこれはあくまで一例示であり、本発明は、その主旨を逸脱しない範囲において種々変更を加えた形態で構成可能である。
【図面の簡単な説明】
【図１】  本発明の一実施例である単水栓を示す図である。
【図２】  図１の単水栓を各部材に分解して示す図である。
【図３】  従来の単水栓を示す図である。
【符号の説明】
１０  本体ボデー
１２  通水路
１４  吐水管
１６  吐水口
１８  接続管部
２８  弁体
３０  弁座
４２  内筒（１次側部分）
４４  外筒（２次側部分）
【図１】
0004503864.tif 000002
【図２】
0004503864.tif 000003
【図３】
0004503864.tif 000004